Podtech/llm-jp-corpus-v4-ja_patent huggingface dataset:
【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  アナログ階調電圧を出力する電圧バッファ増幅回路を備え、同一表示色に関する隣り合うデータバスライン間で極性が逆になるように該アナログ階調電圧を該データバスラインに印加する液晶表示装置用データドライバにおいて、
同一表示色に関する隣り合うデータバスライン間に間欠的に接続された短絡スイッチ素子と、
該電圧バッファ増幅回路の出力又は該電圧バッファ増幅回路と該データバスラインとの間がハイインピーダンス状態の時に該短絡スイッチ素子をオンにする制御回路と、
を有することを特徴とする液晶表示装置用データドライバ。
【請求項２】  上記短絡スイッチ素子を接続する第１行の配線と第２行の配線とが交互に配置されていることを特徴とする請求項１記載の液晶表示装置用データドライバ。
【請求項３】  上記短絡スイッチ素子は、上記第１行と上記第２行の各々について、隣り合う第１及び第２の短絡スイッチ素子の一端がそれぞれ隣り合う第１及び第２のデータバスラインに接続されていることを特徴とする請求項２記載の液晶表示装置用データドライバ。
【請求項４】  上記短絡スイッチ素子は、上記データバスラインの１つおきにその一方側に形成されていることを特徴とする請求項３記載の液晶表示装置用データドライバ。
【請求項５】  上記短絡スイッチ素子の各々は、第３行に形成されたＮＭＯＳトランジスタと第４行に形成されたＰＭＯＳトランジスタとが並列接続されたものであることを特徴とする請求項４記載の液晶表示装置用データドライバ。
【請求項６】  上記第１及び第２行の配線は、上記第３及び第４行のトランジスタの間の領域であることを特徴とする請求項５記載の液晶表示装置用データドライバ。
【請求項７】  複数のデータバスラインと複数の走査バスラインとを有する液晶表示パネルと、
該複数の走査バスラインに接続された走査駆動回路と、
アナログ階調電圧を出力する電圧バッファ増幅回路を備え、同一表示色に関する隣り合うデータバスライン間で極性が逆になるように該アナログ階調電圧を該データバスラインに印加する液晶表示装置用データドライバと、
を有し、該液晶表示装置用データドライバはさらに、同一表示色に関する隣り合うデータバスライン間に間欠的に接続された短絡スイッチ素子と、該電圧バッファ増幅回路の出力又は該電圧バッファ増幅回路と該データバスラインとの間がハイインピーダンス状態の時に該短絡スイッチ素子をオンにする制御回路とを備えていることを特徴とする液晶表示装置。
【請求項８】  上記短絡スイッチ素子を接続する第１行の配線と第２行の配線とが交互に配置されていることを特徴とする請求項７記載の液晶表示装置。
【請求項９】  上記短絡スイッチ素子は、上記第１行と上記第２行の各々について、隣り合う第１及び第２の短絡スイッチ素子の一端がそれぞれ隣り合う第１及び第２のデータバスラインに接続されていることを特徴とする請求項８記載の液晶表示装置。
【請求項１０】  上記短絡スイッチ素子は、上記データバスラインの１つおきにその一方側に形成されていることを特徴とする請求項９記載の液晶表示装置。
【手続補正２】
【補正対象書類名】明細書
【補正対象項目名】００１７
【補正方法】変更
【補正の内容】
【００１７】
本発明による液晶表示装置用データドライバの第３態様では、上記第２態様において、上記短絡スイッチ素子が上記データバスラインの１つおきにその一方側に形成されている。
【手続補正３】
【補正対象書類名】明細書
【補正対象項目名】００３４
【補正方法】変更
【補正の内容】
【００３４】
また、第１行と第２行の各々について、隣り合う短絡スイッチ素子Ｓ１の一端がそれぞれ隣り合うデータバスラインに接続されている。すなわち、短絡スイッチ素子Ｓ１とＳ５の一端がそれぞれデータバスラインＤ４とＤ５に接続され、短絡スイッチ素子Ｓ５とＳ９の一端がそれぞれデータバスラインＤ８とＤ９に接続され、短絡スイッチ素子Ｓ３とＳ７の一端がそれぞれデータバスラインＤ６とＤ７に接続され、短絡スイッチ素子Ｓ７とＳ１１の一端がそれぞれデータバスラインＤ１０とＤ１１に接続されている。
【手続補正４】
【補正対象書類名】明細書
【補正対象項目名】００４４
【補正方法】変更
【補正の内容】
【００４４】
短絡スイッチ素子がデータバスラインの１つおきにその一方側に形成され、短絡スイッチ素子を接続する配線Ｌ１、Ｌ４及びＬ５が、ＰＭＯＳトランジスタ領域２１とＮＭＯＳトランジスタ領域２２の間の第１行と第２行のみに、配線密度がほぼ一様になるように配置されているので、回路２０の面積を狭くし且つデータバスラインの一部である出力端子Ｔ１〜Ｔ６を高密度化することができる。
【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  内部を長手方向に延在する糸通路（１２）および該糸通路（１２）を横切って交叉する流体の入口（１８）を有する本体（１１）からなる糸条処理ジェット（１０）において、前記糸通路（１２）は前記長手方向に交叉する断面において主部分（１３）および該主部分（１３）よりも幅狭（ｄ）の糸制御部分（１４）を有し、前記流体入口（１８）が前記糸制御部分（１４）の幅（ｄ）よりも大きな幅（ｗ）を有していることを特徴とする糸条処理ジェット。
【請求項２】  前記流体入口（１８）が前記糸制御部分（１４）に交叉し且つ流体を主部分（１３）の方向に方向付けることを特徴とする請求項１に記載の糸条処理ジェット。
【請求項３】  前記流体入口（１８）が前記主部分（１３）の幅（Ｄ）よりも小さい幅（ｗ）を有していることを特徴とする請求項１または２に記載の糸条処理ジェット。
【請求項４】  前記糸通路（１２）の入口および出口端部の近傍に糸ガイド（１５、１６）を有している請求項１に記載の糸条処理ジェットにおいて、該糸ガイド（１５、１６）は走行糸条（１７）を前記糸通路（１２）の糸制御部分（１４）を通って案内するように設けられていることを特徴とする糸条処理ジェット。
【請求項５】  前記糸ガイド（１５、１６）が前記ジェット本体（１１）に対して接近および遠去かるように位置決め調節可能であることを特徴とする請求項４に記載の糸条処理ジェット。
【請求項６】  前記本体（１１）の外部と糸通路（１２）とを連通して長手方向に延在する糸掛けスロット（１９）を具備した請求項１に記載の糸条処理ジェットにおいて、糸掛けスロット（１９）が前記糸制御部分（１４）に連通していることを特徴とする糸条処理ジェット。
【請求項７】  前記糸掛けスロット（１９）が前記本体（１１）の外部と糸通路（１２）の間でカーブしていることを特徴とする請求項６に記載の糸条処理ジェット。
【請求項８】  前記糸掛けスロット（１９）の外側端部（２０）が糸掛けスロット（１９）の他の部分に対して拡開していることを特徴とする請求項６または７に記載の糸条処理ジェット。
【請求項９】  前記糸通路（１２）の制御部分（１４）が実質的に平行する両側面を有していることを特徴とする請求項１に記載の糸条処理ジェット。
【手続補正２】
【補正対象書類名】明細書
【補正対象項目名】０００５
【補正方法】変更
【補正の内容】
【０００５】
【課題を解決するための手段】
本発明は、内部を長手方向に延在する糸通路および該糸通路を横横切って交叉する流体の入口を有する本体からなる糸条処理ジェットにおいて、前記糸通路は前記長手方向に交叉する断面において主部分および該主部分よりも幅狭（ｄ）の糸制御部分を有し、前記流体入口が前記糸制御部分の幅（ｄ）よりも大きな幅（ｗ）を有していることを特徴とする。
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
圧縮された原画像ファイルデータを読み込んで印刷可能な画像データを生成する処理を行う画像処理装置であって、 
前記圧縮された原画像ファイルデータを読み込んで復元を含む所定の画像処理を施してビットイメージ形式の画像データを生成する画像データ処理手段と、
１回の主走査で印刷する画像データを記憶する記憶手段と、
前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力する制御を行う画像データ制御手段とを有することを特徴とする画像処理装置。
【請求項２】
請求項１記載の画像処理装置において、前記画像データ処理手段は、更に、前記所定の画像処理として、印刷する際に原画像を回転させて画像の向きを所定角度だけ変える回転処理を実行可能な回転処理部と、原画像を拡大又は縮小するリサイズ処理を実行可能なリサイズ処理部を有することを特徴とする画像処理装置。
【請求項３】
請求項２記載の画像処理装置において、更に、原画像とは別のタイトルをも含む印刷可能な画像データを生成可能に構成され、該タイトルを、少なくとも前記回転処理前用のタイトルと、該回転処理前用のタイトルを回転させたタイトルの２つ用意しておき、前記所定の画像処理として回転処理を実行するか否かに応じて、前記回転処理前用のタイトル又は前記回転させたタイトルのうち、いずれかを選択して前記印刷可能な画像データを生成する手段を有することを特徴とする画像処理装置。
【請求項４】
請求項２又は３記載の画像処理装置において、前記画像データ処理手段は、更に、前記所定の画像処理として、原画像に所定の補正処理を加える画像補正部を有し、前記リサイズ処理を実行した場合に、該画像補正部は、リサイズ前の画像とリサイズ後の画像のうち画素数のより少ない方を選択し、該選択した画像に対し前記所定の補正処理を加えることを特徴とする画像処理装置。
【請求項５】
圧縮された原画像ファイルデータを読み込んで復元を含む所定の画像処理を施してビットイメージ形式の画像データを生成する画像データ処理手段と、
１回の主走査で印刷する画像データを記憶する記憶手段と、
前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力する制御を行う画像データ制御手段と、
前記記憶手段から出力された１回の主走査で印刷する画像データを印刷する処理を行う印刷処理手段とを有することを特徴とするプリンタ。
【手続補正２】
【補正対象書類名】明細書
【補正対象項目名】００１７
【補正方法】変更
【補正の内容】
【００１７】
即ち、本発明によれば、圧縮された原画像ファイルデータを読み込んで印刷可能な画像データを生成する処理を行う画像処理装置であって、前記圧縮された原画像ファイルデータを読み込んで復元を含む所定の画像処理を施してビットイメージ形式の画像データを生成する画像データ処理手段と、１回の主走査で印刷する画像データを記憶する記憶手段と、前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力する制御を行う画像データ制御手段とを有することを特徴とする画像処理装置が得られる。
また、前記画像データ処理手段は、更に、前記所定の画像処理として、印刷する際に原画像を回転させて画像の向きを所定角度だけ変える回転処理を実行可能な回転処理部と、原画像を拡大又は縮小するリサイズ処理を実行可能なリサイズ処理部を有するようにしても良い。
更に、原画像とは別のタイトルをも含む印刷可能な画像データを生成可能に構成され、該タイトルを、少なくとも前記回転処理前用のタイトルと、該回転処理前用のタイトルを回転させたタイトルの２つ用意しておき、前記所定の画像処理として回転処理を実行するか否かに応じて、前記回転処理前用のタイトル又は前記回転させたタイトルのうち、いずれかを選択して前記印刷可能な画像データを生成する手段を有するようにしても良い。
また、前記画像データ処理手段は、更に、前記所定の画像処理として、原画像に所定の補正処理を加える画像補正部を有し、前記リサイズ処理を実行した場合に、該画像補正部は、リサイズ前の画像とリサイズ後の画像のうち画素数のより少ない方を選択し、該選択した画像に対し前記所定の補正処理を加えるようにしても良い。
また、本発明によれば、圧縮された原画像ファイルデータを読み込んで復元を含む所定の画像処理を施してビットイメージ形式の画像データを生成する画像データ処理手段と、１回の主走査で印刷する画像データを記憶する記憶手段と、前記画像データ処理手段にビットイメージ形式の画像データを生成させ、該ビットイメージ形式の画像データを前記記憶手段に一時的に記憶させ、前記記憶手段に１回の主走査で印刷する画像データが記憶された場合に該１回の主走査で印刷する画像データを出力する制御を行う画像データ制御手段と、前記記憶手段から出力された１回の主走査で印刷する画像データを印刷する処理を行う印刷処理手段とを有することを特徴とするプリンタが得られる。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクカートリッジ及びインクジェット記録装置、画像形成装置
【手続補正２】
【補正対象書類名】明細書
【補正対象項目名】特許請求の範囲
【補正方法】変更
【補正の内容】
【特許請求の範囲】
【請求項１】
内部に充填されるインクをインク排出口部を通じて外部に供給するインクカートリッジにおいて、前記インク排出口部を形成した保持部材を保持する手段を少なくとも一方に有する分割された筐体を備え、前記保持部材のインク排出口部の先端部には開口をシールするための弾性部材が設けられるとともに、この弾性部材を押さえるためのキャップ部材が装着されていることを特徴とするインクカートリッジ。
【請求項２】
請求項１に記載のインクカートリッジにおいて、前記インク排出口部の外周部には前記キャップ部材に設けた係止片が係合するための段差部を有することを特徴とするインクカートリッジ。
【請求項３】
請求項１又は２に記載のインクカートリッジにおいて、前記弾性部材はシリコン、フッ素、ブチル等のゴム材料からなることを特徴とするインクカートリッジ。
【請求項４】
請求項１ないし３のいずれかに記載のインクカートリッジにおいて、前記キャップ部材は前記弾性部材を押さえるフランジ部を有する筒状部材からなり、筒状部には内方に折り曲げられた複数の係止片を有することを特徴とするインクカートリッジ。
【請求項５】
インクカートリッジを前面側から装填可能なインクジェット記録装置において、前記インクカートリッジが請求項１ないし４のいずれかに記載のインクカートリッジであることを特徴とするインクジェット記録装置。
【請求項６】
インクカートリッジを前面側から装填可能な画像形成装置において、前記インクカートリッジが請求項１ないし４のいずれかに記載のインクカートリッジであることを特徴とする画像形成装置。
【手続補正３】
【補正対象書類名】明細書
【補正対象項目名】０００１
【補正方法】変更
【補正の内容】
【０００１】
【産業上の利用分野】
本発明はインクカートリッジ及びインクジェット記録装置、画像形成装置に関する。
【手続補正４】
【補正対象書類名】明細書
【補正対象項目名】００１３
【補正方法】変更
【補正の内容】
【００１３】
本発明は上記の課題に鑑みてなされたものであり、筐体の再利用を簡単に行うことができるとともにインクを漏れ等がなく安定的に供給できるインクカートリッジ及びこのインクカートリッジを備えたインクジェット記録装置、画像形成装置を提供することを目的とする。
【手続補正５】
【補正対象書類名】明細書
【補正対象項目名】００１６
【補正方法】変更
【補正の内容】
【００１６】
本発明に係るインクジェット記録装置、画像形成装置は、本発明に係るインクカートリッジを前面側から装填可能な構成とした。
【手続補正６】
【補正対象書類名】明細書
【補正対象項目名】００６７
【補正方法】変更
【補正の内容】
【００６７】
次に、上述したインクカートリッジを使用する本発明に係る画像形成装置としてのインクジェット記録装置の一例について図２５ないし図２８を参照して説明する。なお、図２５は本発明に係るインクジェット記録装置の前方側から見た斜視説明図、図２６は同記録装置のインクカートリッジ装填部のカバーを開いた状態の斜視説明図、図２７は同記録装置の機構部の全体構成を説明する概略構成図、図２８は同機構部の要部平面説明図である。
【手続補正７】
【補正対象書類名】明細書
【補正対象項目名】００８４
【補正方法】変更
【補正の内容】
【００８４】
なお、上記実施形態においては、本発明をキャリッジが走査するシリアル型（シャトル型）インクジェット記録装置に適用した例で説明したが、ライン型ヘッドを備えたライン型インクジェット記録装置にも同様に適用することができる。また、本発明に係るインクジェット記録装置は、インクジェットプリンタ以外にも、ファクシミリ装置、複写装置、プリンタ／ファックス／コピア複合機などの画像形成装置にも適用することができる。
【手続補正８】
【補正対象書類名】明細書
【補正対象項目名】００８５
【補正方法】変更
【補正の内容】
【００８５】
本発明に係るインクジェット記録装置、画像形成装置によれば、本発明に係るインクカートリッジを前面側から装填可能な構成としたので、インクカートリッジも使い切ったときにインク収納手段だけを交換することができるとともに、安定してインク供給を行うことができる。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インク袋保持部材、インクカートリッジ及びインクジェット記録装置、画像形成装置
【手続補正２】
【補正対象書類名】明細書
【補正対象項目名】特許請求の範囲
【補正方法】変更
【補正の内容】
【特許請求の範囲】  【請求項１】  可撓性を有するインク袋本体をインクカートリッジ内に収納するための保持部材であって、この保持部材は前記袋本体内にインクを充填するためのインク充填口部と袋本体内のインクを排出するためのインク排出口部とを有し、少なくとも２つに分割された筐体の少なくとも一方に設けられた係止手段で係止される係合部を備えていることを特徴とするインク袋保持手段。  【請求項２】  請求項1に記載のインク袋保持部材において、この保持部材は略四角形状の前記袋本体の一辺と熱溶着で固着され、前記カートリッジ筐体に着脱自在の保持されることを特徴とするインク袋保持手段。  【請求項３】  請求項１又は２に記載のインク袋保持部材において、この保持部材は前記袋本体と熱溶着される部分の端部がテーパ状に形成された連結部を有し、この連結部と前記インク充填口部及びインク排出口部とがフランジ部の異なる面に一体的に形成されていることを特徴とするインク袋保持部材。  【請求項４】  請求項３に記載のインク袋保持部材において、前記フランジ部の側面には溝が形成されていることを特徴とするインク袋保持部材。  【請求項５】  請求項１ないし４のいずれかに記載のインク袋保持部材において、前記インク充填口部は熱融着で封止されていることを特徴とするインク袋保持部材。  【請求項６】  インク袋を収納したインクカートリッジにおいて、前記インク袋は請求項１ないし５のいずれかに記載のインク袋保持部材を有することを特徴とするインクカートリッジ。  【請求項７】  インクカートリッジを前面側から装填可能なインクジェット記録装置において、前記インクカートリッジが請求項６に記載のインクカートリッジであることを特徴とするインクジェット記録装置。  【請求項８】 インクカートリッジを前面側から装填可能な画像形成装置において、前記インクカートリッジが請求項６に記載のインクカートリッジであることを特徴とする画像形成装置。【手続補正３】
【補正対象書類名】明細書
【補正対象項目名】０００１
【補正方法】変更
【補正の内容】
【０００１】    【産業上の利用分野】  本発明はインク袋保持部材、インクカートリッジ及びインクジェット記録装置、画像形成装置に関する。【手続補正４】
【補正対象書類名】明細書
【補正対象項目名】００１４
【補正方法】変更
【補正の内容】
【００１４】  本発明は上記の課題に鑑みてなされたものであり、インクカートリッジ内に可撓性を有するインク袋を安定して収納することができるインク袋保持部材、このインク袋保持部材を備えたインク袋を収納したインクカートリッジ及びこのインクカートリッジを備えたインクジェット記録装置、画像形成装置を提供することを目的とする。
【手続補正５】
【補正対象書類名】明細書
【補正対象項目名】００１８
【補正方法】変更
【補正の内容】
【００１８】  本発明に係るインクジェット記録装置、画像形成装置は、本発明に係るインクカートリッジを前面側から装填可能な構成とした。
【手続補正６】
【補正対象書類名】明細書
【補正対象項目名】００６９
【補正方法】変更
【補正の内容】
【００６９】  次に、上述したインクカートリッジを使用する画像形成装置としてのインクジェット記録装置の一例について図２５ないし図２８を参照して説明する。なお、図２５は本発明に係るインクジェット記録装置の前方側から見た斜視説明図、図２６は同記録装置のインクカートリッジ装填部のカバーを開いた状態の斜視説明図、図２７は同記録装置の機構部の全体構成を説明する概略構成図、図２８は同機構部の要部平面説明図である。
【手続補正７】
【補正対象書類名】明細書
【補正対象項目名】００８６
【補正方法】変更
【補正の内容】
【００８６】  なお、上記実施形態においては、本発明をキャリッジが走査するシリアル型（シャトル型）インクジェット記録装置に適用した例で説明したが、ライン型ヘッドを備えたライン型インクジェット記録装置にも同様に適用することができる。また、本発明に係るインクジェット記録装置、画像形成装置は、インクジェットプリンタ以外にも、ファクシミリ装置、複写装置、プリンタ／ファックス／コピア複合機などにも適用することができる。
【手続補正８】
【補正対象書類名】明細書
【補正対象項目名】００８９
【補正方法】変更
【補正の内容】
【００８９】  本発明に係るインクジェット記録装置、画像形成装置によれば、本発明に係るインクカートリッジを前面側から装填可能な構成としたので、インクカートリッジも使い切ったときにインク袋だけを交換することができるとともに、安定してインク供給を行うことができる。
【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】互いに重ね合わせられた複数枚の用紙を備え、前記複数枚の用紙のうち表層に位置する表側用紙上から印刷用インクを用いて印刷される多層印刷用紙であって、
前記表側用紙は、一面側に付着された前記印刷用インクを他面側へ透過可能な細孔を備えるとともに、前記表側用紙へ付着された前記印刷用インクおよび前記細孔を透過して他の用紙へ付着された前記印刷用インクが視認不能となる色に着色されている多孔性シートであることを特徴とする多層印刷用紙。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
【課題を解決するための手段】
請求項１の発明は、互いに重ね合わせられた複数枚の用紙を備え、前記複数枚の用紙のうち表層に位置する表側用紙上から印刷用インクを用いて印刷される多層印刷用紙であって、前記表側用紙は、一面側に付着された前記印刷用インクを他面側へ透過可能な細孔を備えるとともに、前記表側用紙へ付着された前記印刷用インクおよび前記細孔を透過して他の用紙へ付着された前記印刷用インクが視認不能となる色に着色されている多孔性シートであることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
【発明の作用及び効果】
請求項１の発明によれば、前記表側用紙は、一面側に付着された印刷用インクを他面側へ透過可能な細孔を備えるとともに、前記表側用紙および他の用紙へ付着した前記印刷用インクが視認不能となる色に着色されている多孔性シートである。このような構成の多層印刷用紙に印刷用インクを用いて印刷を行うと、表側用紙に付着した印刷用インクの全てもしくは大部分が細孔を通って裏面側へ抜け、他の用紙に付着されることにより、他の用紙へ印刷内容が現れる。そして、他の用紙への印刷内容は、表側用紙を通して視認することができない。このような多層印刷用紙は、例えば圧着はがきのように印刷内容が隠蔽されて郵送される親展性の葉書や、その他印刷内容を隠蔽する必要のある書面に利用することができる。
【手続補正７】
【補正対象書類名】明細書
【補正対象項目名】００１６
【補正方法】変更
【補正の内容】
【００１６】
【発明の実施の形態】
＜参考例＞
以下、本発明の参考例について、図１〜図３を参照しつつ詳細に説明する。本参考例においては、多層印刷用紙を複写紙１に適用した実施形態について説明する。
【手続補正８】
【補正対象書類名】明細書
【補正対象項目名】００２２
【補正方法】変更
【補正の内容】
【００２２】
＜第１実施形態＞
以下、本発明を具体化した第１実施形態について、図４および図５を参照しつつ詳細に説明する。本実施形態においては、多層印刷用紙を親展性のはがき１０に適用した実施形態について説明する。
【手続補正９】
【補正対象書類名】明細書
【補正対象項目名】００２９
【補正方法】変更
【補正の内容】
【００２９】
（１）参考例によれば、複写紙１は、上側の複写用紙２Ａと下側の複写用紙２Ｂとが１枚ずつ重ね合わせられたものであるが、複写用紙の積層枚数は本実施形態の限りではなく、例えば２枚、またはそれ以上の上側の複写用紙２Ａが重ねられ、最下層に下側の複写用紙２Ｂが重ね合わせられたものであっても良い。
【手続補正１０】
【補正対象書類名】明細書
【補正対象項目名】００３０
【補正方法】変更
【補正の内容】
【００３０】
（２）第１実施形態によれば、葉書用紙１１の全面に渡って剥離シート１２が重ねられていたが、本発明によれば、必ずしも他の用紙の全面を表側用紙で覆う必要はなく、印刷内容を隠蔽する必要のある部分のみを覆う構成としても良い。
【手続補正１１】
【補正対象書類名】明細書
【補正対象項目名】図面の簡単な説明
【補正方法】変更
【補正の内容】
【図面の簡単な説明】
【図１】
参考例の複写紙を示す上面図
【図２】
複写紙に印刷する様子を示す側断面図
【図３】
印刷後の複写紙を一部破断して示す上面図
【図４】
第１実施形態のはがきを示す上面図
【図５】
はがきに印刷する様子を示す側断面図
【手続補正書】
【提出日】平成18年3月24日(2006.3.24)
【手続補正１】
【補正対象書類名】明細書
【補正対象項目名】発明の名称
【補正方法】変更
【補正の内容】
【発明の名称】印刷装置及び印刷方法
【手続補正２】
【補正対象書類名】明細書
【補正対象項目名】特許請求の範囲
【補正方法】変更
【補正の内容】
【特許請求の範囲】
【請求項１】 印刷装置において、
装填された印刷用紙における被検出体を検出する読取手段と、
前記読取手段による被検出体の検出結果に基づいて、前記装填された印刷用紙の装填状態を判別する判別手段と、
前記判別手段により判別された前記印刷用紙の装填状態に応じた印刷処理を実行する実行手段とを備えることを特徴とする印刷装置。
【請求項２】  前記判別手段は、前記読取手段による被検出体の検出結果に基づいて、前記装填された印刷用紙の表裏と天地がどのような向きであるかの装填状態を判別することを特徴とする請求項１記載の印刷装置。
【請求項３】  前記被検出体は、ＲＦＩＤタグであることを特徴とする請求項１記載の印刷装置。
【請求項４】  前記判別手段は、前記印刷用紙に対する前記被検出体の位置に基づいて、前記印刷用紙の装填状態を判別することを特徴とする請求項１乃至３の何れかに記載の印刷装置。
【請求項５】  前記判別手段は、前記印刷用紙に対する前記被検出体の位置と前記被検出体から読み出した情報に基づいて、前記印刷用紙の装填状態を判別することを特徴とする請求項１乃至３の何れかに記載の印刷装置。
【請求項６】  前記判別手段が前記印刷用紙の装填状態が表裏逆と判別した場合、前記実行手段は前記印刷用紙の裏面情報を用いて印刷処理を実行することを特徴とする請求項１乃至５の何れかに記載の印刷装置。
【請求項７】  前記判別手段が前記印刷用紙の装填状態が表裏逆と判別した場合、前記実行手段は前記印刷用紙を裏返して印刷処理を実行することを特徴とする請求項１乃至５の何れかに記載の印刷装置。
【請求項８】  前記判別手段が前記印刷用紙の天地が逆と判断した場合、前記実行手段は前記印刷用紙の天地が逆でない場合とは逆方向に印刷することを特徴とする請求項１乃至５の何れかに記載の印刷装置。
【請求項９】  前記実行手段は、前記判別手段による判別と、印刷設定とに基づいて印刷処理を実行することを特徴とする請求項１乃至８の何れかに記載の印刷装置。
【請求項１０】  印刷装置における印刷方法において、
装填された印刷用紙における被検出体の検出結果に基づいて、前記装填された印刷用紙の装填状態を判別する判別工程と、
前記判別工程において判別された前記印刷用紙の装填状態に応じた印刷処理を実行する実行工程とを備えることを特徴とする印刷方法。
【手続補正３】
【補正対象書類名】明細書
【補正対象項目名】００１１
【補正方法】変更
【補正の内容】
【００１１】
【課題を解決するための手段】
本発明は、装填された印刷用紙における被検出体を検出する読取手段と、前記読取手段による被検出体の検出結果に基づいて、前記装填された印刷用紙の装填状態を判別する判別手段と、前記判別手段により判別された前記印刷用紙の装填状態に応じた印刷処理を実行する実行手段とを備えることを特徴とする印刷装置及び印刷方法を提供する。
【手続補正４】
【補正対象書類名】明細書
【補正対象項目名】０１３１
【補正方法】変更
【補正の内容】
【０１３１】
【発明の効果】
本発明によれば、ユーザが印刷用紙の表裏や天地を間違えて印刷装置に装填した場合の印刷ミスを低減できる。
【手続補正書】
【提出日】平成18年3月23日(2006.3.23)
【手続補正１】
【補正対象書類名】明細書
【補正対象項目名】０００４
【補正方法】変更
【補正の内容】
【０００４】
【発明が解決しようとする課題】
しかしながら、従来の薬剤包装装置では、ヒーターローラ１０３により包装シート１００をシールした後に、包装シート１００の両縁１００ａ，１００ｂが一致せずに所謂耳ズレが生じることがあった。また、包装シート１００に薬剤を導入する際に、薬剤が矢印で示すように三角板１０１の下端と包装シート１００の折目１００ｃとの間から吹き抜けて、次の処方の薬剤に混入することがあった。
【手続補正２】
【補正対象書類名】明細書
【補正対象項目名】０００６
【補正方法】変更
【補正の内容】
【０００６】
【課題を解決するための手段】
前記課題を解決するために、本発明は、予め長手方向に沿って二つ折りされた細長い包装シートを供給するシート供給部と、該シート供給部から供給される前記包装シートを開口する三角部材と、前記包装シートの開口から薬剤を導入する薬剤導入ホッパと、前記包装シートに導入された薬剤を閉じ込めるように前記包装シートをシールするシール部とを備えた薬剤包装装置において、前記三角部材と前記薬剤導入ホッパの間に前記包装シートの折目近傍をローラを介して挟持する挟持装置を設たものである。
【手続補正３】
【補正対象書類名】明細書
【補正対象項目名】００２３
【補正方法】変更
【補正の内容】
【００２３】
前記実施形態では、三角部材として金属製の三角板２８を用いたが、この代わりに図６に示すように、合成樹脂からなるブロック状の三角体５２を使用してもよい。この三角体５２は、下部が逆三角形になった板状の基部５３と、該基部５３の略下半分から突出する略三角錐形のブロック部５４とからなっている。ブロック部５４は中空に成形されている。三角体５２には、基部５３の両側縁からブロック部５４の斜面に沿って延び、かつ、僅かに外側に隆起する押圧部５５が形成されている。基部５３の下端からブロック部５４の斜面に沿って稜線５６が延び、該稜線５６の両側に斜面がＶ字形に形成されている。この三角体５２は、図７に示すように、基部５３の上端に取り付けた金具５７によりフレーム２１に取り付け、ブロック部５４がノズル１９と反対側に向き、かつ、稜線５６が包装シート１１の折目に沿うように調整する。この三角体５２の押圧部５５により、ヒーターローラ２２ａ，２２ｂによる包装シート１１のシール時に、包装シート１１に皺が発生するのが防止される。また、ブロック部５４の稜線５６により、２点鎖線で示すように、包装シート１１の折目部分に弛み５８が発生するのが防止される。この弛み５８の防止効果との相乗効果により、前記挟持装置３０のローラ３４による耳ズレがさらに有効に防止される。
【手続補正４】
【補正対象書類名】明細書
【補正対象項目名】図面の簡単な説明
【補正方法】変更
【補正の内容】
【図面の簡単な説明】
【図１】  本発明の薬剤包装装置の斜視図。
【図２】  図１の内部の包装装置の斜視図。
【図３】  図２の包装装置の概略正面図。
【図４】  挟持装置の斜視図。
【図５】  挟持装置の開いた状態（Ａ）と閉じた状態（Ｂ）を示す正面図。
【図６】  三角部材の変形例を示す正面図。
【図７】  図６の三角部材を使用した包装装置の概略正面図。
【図８】  パック式のヒートシール装置の斜視図。
【図９】  従来の包装装置の概略正面。
【図１０】  図９の包装装置のＸ方向から見た矢視図。
【符号の説明】
１  薬剤包装装置
８  シート供給部
９  ホッパ（被包装物導入部）
１０  シール部
１１  包装シート
２８  三角板
３０  挟持装置
３１ａ，３１ｂ  挟持片
３２  ピン
３３  基板
３４  ローラ
３５  セグメントギヤ
３６  駆動レバー
３７  カムローラ
３８  駆動装置
４０  モータ
４１  カム機構
４３  カム
５２  三角体
６０  シール部
【手続補正５】
【補正対象書類名】図面
【補正対象項目名】図７
【補正方法】変更
【補正の内容】
【図７】
2004284663.tif 000001
【手続補正６】
【補正対象書類名】図面
【補正対象項目名】図９
【補正方法】変更
【補正の内容】
【図９】
2004284663.tif 000002
【手続補正書】
【提出日】平成18年3月22日(2006.3.22)
【手続補正１】
【補正対象書類名】明細書
【補正対象項目名】０００４
【補正方法】変更
【補正の内容】
【０００４】
【発明が解決しようとする課題】
しかしながら、前記薬剤包装装置では、コンベア装置を引き出すだけの構成であり、薬剤を包装する包装ユニットにはこの構成は採用されていない。コンベア装置と同様に包装ユニットを引き出し可能な構成としただけでは、内部で紙詰まり等が発生した場合等には十分に対処することができない。つまり、メンテナンスが非常にしづらいという問題がある。
【手続補正書】
【提出日】平成17年12月16日(2005.12.16)
【手続補正１】
【補正対象書類名】明細書
【補正対象項目名】００５８
【補正方法】変更
【補正の内容】
【００５８】
（５）まとめ：
このように、樹脂シートＳを加熱して熱成形を行うにあたり、上下ヒータ１４ｂ，１５ｂにて同樹脂シートＳの上下面を加熱した後に、成形型１２が配設される側の下ヒータ１５ｂを退避させる一方、反対側の上ヒータ１４ｂは樹脂シートＳの上面に待機させるとともに熱成形に際して加熱を継続することによって、シート保温およびヒートセットを行い、成形性を向上させ、熱成形品の品質を向上させることを可能にする。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
微細パターンを有する光学素子をプラスチック材料から成形するための型部材を備える光学素子の製造装置であって、
前記型部材は、熱伝導率が２０Ｗ／ｍ・ｋ以下の材料を母材として形成されていることを特徴とする製造装置。
【請求項２】
前記型部材のうち、前記光学素子の微細パターンに対応する転写パターンを有する成形面は、前記母材よりも硬度の小さな材料で被覆されていることを特徴とする請求項１記載の製造装置。
【請求項３】
前記母材は、前記型部材の外形に対応する外形を有することを特徴とする請求項１及び請求項２のいずれか一項記載の製造装置。
【請求項４】
前記母材は、チタン、アルミニウム、及びヴァナジウムを主成分とする合金で形成されていることを特徴とする請求項１から請求項３のいずれか一項記載の製造装置。
【請求項５】
前記母材は、Ｔｉ−６Ａｌ−４Ｖで形成されていることを特徴とする請求項１から請求項４のいずれか一項記載の製造装置。
【請求項６】
前記母材は、ジルコニアセラミックスで形成されていることを特徴とする請求項１から請求項３のいずれか一項記載の製造装置。
【請求項７】
前記母材は、ＳＵＳで形成されていることを特徴とする請求項１から請求項３のいずれか一項記載の製造装置。
【請求項８】
前記成形面を被覆する材料は、ニッケル、及びリンを主成分とする無電解ニッケルメッキであることを特徴とする請求項２記載の製造装置。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェット記録ヘッド、プリンタ、液滴吐出装置及び画像形成装置
【手続補正２】
【補正対象書類名】明細書
【補正対象項目名】特許請求の範囲
【補正方法】変更
【補正の内容】
【特許請求の範囲】
【請求項１】  複数のインク加圧液室が配置された加圧液室基板と、各前記加圧液室が連通部を介して接続された共通液室と、各前記インク加圧液室内部の圧力を変化させる圧力変換手段とを備え、各前記インク加圧液室にそれぞれ連通した複数のノズルからインク滴を吐出することによって、被記録媒体に画像情報を記録するインクジェット記録ヘッドにおいて、前記インク加圧液室が配列された方向をＸ方向としたときに、前記共通液室を構成する壁面のうち、前記Ｘ方向に延びた壁面の少なくとも一部の面には、他の壁面よりも剛性が低く、振動によって圧力を吸収するダンパ面が構成され、該ダンパ面は、前記共通液室のＸ方向全長に渡っては形成されずに、該Ｘ方向において部分的に前記ダンパ面の存在しない領域が形成されていることを特徴とするインクジェット記録ヘッド。
【請求項２】  請求項１に記載のインクジェット記録ヘッドにおいて、前記ダンパ面は、複数の領域に分割されずに、一続きの領域で構成されていることを特徴とするインクジェット記録ヘッド。
【請求項３】  請求項１または２に記載のインクジェット記録ヘッドにおいて、前記共通液室の前記Ｘ方向に伸びる壁面のうち、前記ダンパ面の存在しない領域は、該壁面のＸ方向両端部に設けられていることを特徴とするインクジェット記録ヘッド。
【請求項４】  請求項１ないし３のいずれか１に記載のインクジェット記録ヘッドにおいて、前記加圧液室は、該加圧液室を形成する壁面の一部が他の壁面よりも剛性の低い振動板として構成され、前記圧力変換手段は、該振動板と、振動を発生させる駆動源とによって構成され、前記ダンパ面は、前記振動板と同一の層によって一体形成されていることを特徴とするインクジェット記録ヘッド。
【請求項５】  請求項４に記載のインクジェット記録ヘッドにおいて、前記前記振動板と同一の層は、前記共通液室を構成するＸ方向に伸びる壁面のうち、ダンパ面を形成する面の該Ｘ方向全長に渡って形成され、さらにダンパ面を形成する面において、該振動板と同一の層の上に部分的に別の層が形成され、該別の層の存在によって、前記振動板層の同一の層の前記別の層が存在しない領域が、前記ダンパ面として機能することを特徴とするインクジェット記録ヘッド。
【請求項６】  請求項１ないし３のいずれか１に記載のインクジェット記録ヘッドにおいて、前記ダンパ面は、前記共通液室を形成する他の壁面よりも弾性率の低い部材で構成されていることを特徴とするインクジェット記録ヘッド。
【請求項７】  請求項１ないし６のいずれか１に記載のインクジェット記録ヘッドにおいて、前記共通液室のＸ方向の長さをＬｘ（ｍ）、前記ダンパ面のＸ方向の長さをＬｄｘ（ｍ）、前記ダンパ面のＸ方向に垂直な方向の長さをＬｄｙ（ｍ）、前記ダンパ面を構成する部材の厚さをＴｄ（ｍ）、及び前記ダンパ面を構成する部材の弾性率をＧｄ（Ｐａ）としたときに、
１.０×１０-13＜Ｌｘ-1×Ｌｄｘ×Ｌｄｙ×Ｔｄ-0.3×Ｇｄ-1＜２.０×１０-13
であることを特徴とするインクジェット記録ヘッド。
【請求項８】  請求項１ないし７のいずれか１に記載のインクジェット記録ヘッドを搭載したプリンタ。
【請求項９】  請求項１ないし７のいずれか１に記載のインクジェット記録ヘッドを搭載した液滴吐出装置。
【請求項１０】  請求項１ないし７のいずれか１に記載のインクジェット記録ヘッドを搭載した画像形成装置。
【手続補正３】
【補正対象書類名】明細書
【補正対象項目名】０００１
【補正方法】変更
【補正の内容】
【０００１】
【発明の属する技術分野】
本発明は、複数のノズルからインク滴を吐出することによって、被記録媒体に画像情報を記録するインクジェット記録ヘッド、及びそのインクジェット記録ヘッドを搭載したプリンタ、液滴吐出装置及び画像形成装置に関する。
【手続補正４】
【補正対象書類名】明細書
【補正対象項目名】００１３
【補正方法】変更
【補正の内容】
【００１３】
本発明は、以上の問題点に鑑み、圧力吸収体を用いて効率的な共通液室の圧力減衰効果を得ると同時に、圧力吸収体自身の共振による副作用を抑えることで、高品質な画像を高速で印字できるようにしたインクジェット記録ヘッド及び該インクジェット記録ヘッドを用いたプリンタ、液滴吐出装置及び画像形成装置を提供することを目的としている。
【手続補正５】
【補正対象書類名】明細書
【補正対象項目名】００２１
【補正方法】変更
【補正の内容】
【００２１】
請求項８の発明は、請求項１ないし７のいずれか１に記載のインクジェット記録ヘッドを搭載したプリンタである。
請求項９の発明は、請求項１ないし７のいずれか１に記載のインクジェット記録ヘッドを搭載した液滴吐出装置である。
請求項１０の発明は、請求項１ないし７のいずれか１に記載のインクジェット記録ヘッドを搭載した画像形成装置である。
【手続補正６】
【補正対象書類名】明細書
【補正対象項目名】００４５
【補正方法】変更
【補正の内容】
【００４５】
以上、インクジェット記録ヘッドの実施の形態を説明してきたが、これらインクジェット記録ヘッドを用いることによって、噴射特性が良好で、かつ高速のインクジェットプリンタ、液滴吐出装置や画像形成装置を実現することができる。
【手続補正７】
【補正対象書類名】明細書
【補正対象項目名】００５９
【補正方法】変更
【補正の内容】
【００５９】
また、本発明によれば、上述した本発明に関わるインクジェット記録ヘッドを使用することにより、高速で駆動してもインクの噴射が安定し、高速かつ高画質なプリンタ、液滴吐出装置や画像形成装置を得ることができる。
【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】記録装置及び該装置における電力供給の制御方法
【手続補正２】
【補正対象書類名】明細書
【補正対象項目名】特許請求の範囲
【補正方法】変更
【補正の内容】
【特許請求の範囲】
【請求項１】
画像データを格納可能であり、接続先から供給される電力によって動作する外部機器を接続可能なインタフェース手段を複数備え、前記外部機器に格納された画像の記録が可能な記録装置であって、
前記複数のインタフェース手段それぞれへの前記外部機器の接続状態を検出する接続検出手段と、
前記接続検出手段によって前記外部機器が複数接続されたことを検出したときに、該複数の外部機器の要求する電力量の合計が、前記記録装置の供給可能な電力量を越えるか否か判定する判定手段と、
前記判定手段によって前記電力量の合計が前記供給可能な電力量を越えると判定されたときに、先に接続された外部機器の動作状態に応じて電力供給する外部機器を選択する選択手段と、を備える記録装置。
【請求項２】
前記選択手段は、先に接続された外部機器がアイドル状態であるときに、該外部機器への電力供給を停止して後から接続された外部機器への電力供給を開始する、請求項１に記載の記録装置。
【請求項３】
前記選択手段は、後から接続された外部機器への電力供給を開始した後に、該外部機器が非接続状態となったときに、先に接続された外部機器への電力供給を再開する、請求項２に記載の記録装置。
【請求項４】
前記選択手段は、先に接続された外部機器が動作中であるときに、後から接続された外部機器が利用できない旨、操作者に通知する通知手段を含む、請求項１に記載の記録装置。
【請求項５】
前記選択手段は、先に接続された外部機器が動作中であるときに、利用可能とする外部機器を操作者に選択させる選択手段を含む、請求項１に記載の記録装置。
【請求項６】
前記複数のインタフェース手段は、それぞれ仕様が異なる請求項１に記載の記録装置
【請求項７】
前記複数のインタフェース手段のいずれかは、メモリーカードインタフェースを含む、請求項６に記載の記録装置。
【請求項８】
前記複数のインタフェース手段のいずれかは、ＵＳＢインタフェースを含む、請求項６に記載の記録装置。
【請求項９】
前記複数のインタフェース手段のいずれかは、ＩＥＥＥ１３９４インタフェースを含む、請求項６に記載の記録装置。
【請求項１０】
外部機器に対して電力供給可能なインタフェース手段を複数備え、前記外部機器に格納された画像の記録が可能な記録装置であって、
前記複数のインタフェース手段それぞれへの前記外部機器の接続状態を検出する検出手段と、
前記検出手段によって前記外部機器が複数接続されたことを検出したときに、該複数の外部機器の要求する電力量の合計が、前記記録装置の供給可能な電力量を越えるか否か判定する判定手段と、
前記判定手段によって前記電力量の合計が前記供給可能な電力量を越えると判定されたときに、先に接続された外部機器の動作状態に応じて電力供給する外部機器を選択する選択手段と、を備える記録装置。
【請求項１１】
画像データを格納可能であり、接続先から供給される電力によって動作する外部機器を接続可能なインタフェース手段を複数備え、前記外部機器に格納された画像の記録が可能な記録装置における電力供給の制御方法であって、
前記複数のインタフェース手段それぞれへの前記外部機器の接続状態を検出する検出工程と、
前記外部機器が複数接続されたことを検出したときに、該複数の外部機器の要求する電力量の合計が、前記記録装置の供給可能な電力量を越えるか否か判定する判定工程と、
前記電力量の合計が前記供給可能な電力量を越えると判定されたときに、先に接続された外部機器の動作状態に応じて電力供給する外部機器を選択する選択工程と、を備える記録装置における電力供給の制御方法。
【手続補正３】
【補正対象書類名】明細書
【補正対象項目名】００１６
【補正方法】変更
【補正の内容】
【００１６】
上記目的を達成する本発明の一態様としての記録装置における電力供給の制御方法は、画像データを格納可能であり、接続先から供給される電力によって動作する外部機器を接続可能なインタフェース手段を複数備え、前記外部機器に格納された画像の記録が可能な記録装置における電力供給の制御方法であって、
前記複数のインタフェース手段それぞれへの前記外部機器の接続状態を検出する検出工程と、
前記外部機器が複数接続されたことを検出したときに、該複数の外部機器の要求する電力量の合計が、前記記録装置の供給可能な電力量を越えるか否か判定する判定工程と、
前記電力量の合計が前記供給可能な電力量を越えると判定されたときに、先に接続された外部機器の動作状態に応じて電力供給する外部機器を選択する選択工程と、を備えている。
【手続補正書】
【提出日】平成18年7月4日(2006.7.4)
【手続補正１】
【補正対象書類名】明細書
【補正対象項目名】発明の名称
【補正方法】変更
【補正の内容】
【発明の名称】インフレータ及びエアバッグ装置
【手続補正２】
【補正対象書類名】明細書
【補正対象項目名】特許請求の範囲
【補正方法】変更
【補正の内容】
【特許請求の範囲】
【請求項１】  高圧ガス貯蔵室及びガス出口を有した耐圧容器と、
該ガス出口を閉鎖している封体と、
該封体を高圧ガス貯蔵室と反対側から支承している支承体と、
該支承体による封体の支承を解除する支承解除装置と
を備えてなり、該解除装置によって該支承体による封体の支承が解除されることにより、該封体が該高圧ガス貯蔵室内のガス圧により破れて高圧ガス貯蔵室内から高圧ガスが放出されるインフレータ。
【請求項２】  請求項１において、前記支承体は、該支承体に係合したラッチ部材により支承位置に保持されており、前記支承解除装置は、該ラッチ部材と支承体との係合を解除するものであることを特徴とするインフレータ。
【請求項３】  請求項２において、該支承解除装置は、該ラッチ部材に向けてガスを噴出し、このガス圧によりラッチ部材を支承体との非係合位置へ移動させるものであることを特徴とするインフレータ。
【請求項４】  請求項２又は３において、該支承体は、該封体に当接する先端体と、該先端体から立設され、該封体から遠ざかる方向に延在したロッドとを有しており、
耐圧容器の前記ガス出口には、該先端体が嵌合した開口が設けられていることを特徴とするインフレータ。
【請求項５】  請求項４において、該ラッチ部材は該ロッドに係合しており、
該ロッドは、ロッドガイド部材によって該ロッドの長手方向に移動可能に保持されていることを特徴とするインフレータ。
【請求項６】  請求項５において、該ロッドの長手方向の途中にラッチ係合部が設けられ、該ラッチ部材は該ラッチ係合部に係合しており、
該ラッチ部材は、該ロッドの長手方向と交叉方向へ前記支承解除装置によって移動可能とされていることを特徴とするインフレータ。
【請求項７】  請求項６において、該ラッチ部材には該ロッドが挿通された開口又は切欠よりなるロッド挿通部が設けられており、
前記ロッドのラッチ係合部は、該ロッド挿通部の縁部に係合した溝であることを特徴とするインフレータ。
【請求項８】  請求項１において、前記支承体は、該封体に当接した支承本体と、該支承本体を高圧ガス貯蔵室と反対側から支持している支承板体とを備えてなり、
前記解除装置は、該支承板体に向けてガスを噴出し、このガス圧により支承板体を移動させて支承板体の非支持位置へ移動させるものであることを特徴とするインフレータ。
【請求項９】  請求項８において、該支承板体は、該解除装置からのガス圧により割断するよう構成されていることを特徴とするインフレータ。
【請求項１０】  エアバッグ及び該エアバッグを膨張させるための請求項１ないし９のいずれか１項に記載のインフレータを備えてなるエアバッグ装置。
【手続補正３】
【補正対象書類名】明細書
【補正対象項目名】０００１
【補正方法】変更
【補正の内容】
【０００１】
【発明の属する技術分野】
本発明は、エアバッグ装置等に用いられるインフレータに係り、特に耐圧容器内部に充填された高圧ガスをガス出口から流出させるようにしたタイプのインフレータに関する。また、本発明は、このインフレータを備えたエアバッグ装置に関する。
【手続補正４】
【補正対象書類名】明細書
【補正対象項目名】０００７
【補正方法】変更
【補正の内容】
【０００７】
【発明が解決しようとする課題】
従来のストアーガスインフレータにあっては、封体がそれ自体の強度によって耐圧容器内のガス圧に対抗するよう構成されており、封体が高強度の肉厚のものとなっている。本発明は、封体を薄くすることができ、また、これにより封体を破るための必要エネルギーを小さくすることも可能なインフレータと、このインフレータを備えたエアバッグ装置とを提供することを目的とする。
【手続補正５】
【補正対象書類名】明細書
【補正対象項目名】００１８
【補正方法】変更
【補正の内容】
【００１８】
この支承板体は、該解除装置からのガス圧により割断するよう構成されていることが好ましい（請求項９）。このように構成した場合、支承板体が割れて小さくなることにより、支承板体が少し動くだけで支承板体が非支持位置まで移動する。これにより、インフレータの起動を一層迅速化させることができる。
本発明のエアバッグ装置は、かかる本発明のインフレータと、このインフレータからのガスによって膨張するエアバッグとを備えてなるものである。
【手続補正書】
【提出日】平成18年11月13日(2006.11.13)
【手続補正１】
【補正対象書類名】特許請求の範囲
【補正対象項目名】請求項１
【補正方法】変更
【補正の内容】
【請求項１】
外周方向において指向する溝部（６、９、１０）、および、傾斜溝部（１１）〜（１４）によって、
２つの軸線方向に外側に位置している肩部ブロック列（２，４）、および、これら肩部ブロック列（２，４）の間に設けられた中央部ブロック列（３，５）の一対に分割された、トレッド条片プロフィル（１）を有する車両用タイヤ、特に冬期用タイヤであって、
その際、これら肩部ブロック列（２，４）、および中央部ブロック列（３、５）のブロックが、それぞれに、多数の互いに上下に平行に指向する微細切込み（１５、１６）を有しており、且つその際、
このトレッド条片プロフィルの接地面Ｙの境界が、これら肩部ブロック列（２、４）を通って指向しており、且つその際、
プロフィル中央部Ｘが、中央部ブロック列（３、５）の軸線方向の外側エッジ部によって区画されている様式の上記車両用タイヤにおいて、
プロフィル中央部Ｘの幅の、接地面Ｙの幅に対する比率は、１-（ＤＲ  ／１００）×１．５と、１-（ＤＲ  ／１００）×５との間で、有利には、１-（ＤＲ  ／１００）×３．３の値であり、その際、ＤＲ  が、ホイールリムの直径であり、この直径でもって、車両用空気タイヤが結合可能であるように構成されていることを特徴とする車両用タイヤ。
【手続補正２】
【補正対象書類名】明細書
【補正対象項目名】０００７
【補正方法】変更
【補正の内容】
【０００７】
本発明により、従って、プロフィル中央部の幅の接地面の幅に対する比率は、１-（ＤＲ  ／１００）×１．５と、１-（ＤＲ  ／１００）×５との間で、有利には、１-（ＤＲ  ／１００）×３．３の値であり、その際、ＤＲ  が、ホイールリムの直径であり、この直径でもって、車両用空気タイヤが結合可能である。
【手続補正３】
【補正対象書類名】明細書
【補正対象項目名】００２４
【補正方法】変更
【補正の内容】
【００２４】
プロフィル１は、タイヤサイズ２２５／４５Ｒ１７のこのようなプロフィルであり、プロフィル１ａが、タイヤサイズ１９５／６５Ｒ１５のこのようなプロフィルであり、およびプロフィル１ｂが、タイヤサイズ１３５／８０Ｒ１３のこのようなプロフィルである。